(57)【特許請求の範囲】
【請求項１】
集合玄関機（３）を制御機（４）を介して複数の居室親機（１ａ、１ｂ、…）に共通接続し、前記居室親機に個別玄関機（２ａ、２ｂ、…）を個別接続し前記集合玄関機および前記個別玄関機からの呼び出しに応じて前記集合玄関機又は前記個別玄関機と前記居室親機との間で通話が可能な集合住宅インターホンシステムにおいて、
前記居室親機には、前記制御機から常時電圧の印加を受ける電源開閉回路（１０）と、待受状態の動作電源として前記電源開閉回路からの直流電圧が印加され前記個別玄関機の呼出を検出する呼出検出回路（１１）と、前記電源開閉回路からの直流電圧が給電され、当該居室親機を構成する前記電源開閉回路及び前記呼出検出回路を制御する制御回路（１９）とを備え、
前記制御機には、商用電源（ＡＣ）を直流電圧に整流する電源回路（３３）と、前記電源回路から直流電圧を充電する充電回路（３４）と、前記充電回路に接続され時計としての機能を有するクロック（３５）と、前記クロックによって指定された時間帯に前記充電回路から充電され待受時に前記制御機および前記集合玄関機に電力を供給する蓄電池（３６）と、前記集合玄関機からの呼び出しにより前記居室親機を起動させるための起動信号を送出する起動信号送出回路（３２）と、前記制御機と前記集合玄関機が待受時には前記複数の居室親機の前記電源開閉回路を介して前記呼出検出回路に電圧を印加し、前記集合玄関機から呼び出しがあった時のみ前記電源開閉回路を制御して前記電源回路の直流電圧を前記居室親機の前記電源開閉回路を介して前記呼出検出回路及び前記制御回路に供給する電源供給回路（３７）とを備え、
前記電源開閉回路は、前記電源供給回路から、待受状態の動作電源として前記呼出検出回路に電源供給し、かつ前記起動信号により、呼び出された前記居室親機の前記制御回路に電源供給するものであり、
更に、前記居室親機には、セキュリティ回路（１４）と、セキュリティ発報時に前記商用電源から電力を前記セキュリティ回路に供給するセキュリティ用電源回路（１５）と、セキュリティ監視状態において前記制御機の前記蓄電池より電力を前記セキュリティ回路に供給する監視用電源回路（１３）とを備えることを特徴とする集合住宅インターホンシステム。
【発明の詳細な説明】
【０００１】
【発明の属する技術分野】
【０００２】
本発明は集合住宅インターホンシステムに係わり、特に待受時の消費電力が抑えられた集合住宅インターホンシステムに関する。
【従来の技術】
【０００３】
従来から、この種の集合住宅インターホンシステムとして、図２のブロック図に示す構成の集合住宅インターホンシステムが提案されている。
【０００４】
同図に示す集合住宅インターホンシステムは、集合住宅をなす複数の住戸内にそれぞれ設置され個別の居室ＩＤが割り当てられている（複数の）居室親機５１ａ、５１ｂ、…と、各住戸の玄関（個別玄関）に設置され居室親機５１ａ、５１ｂ、…に個別接続されている（複数の）個別玄関機５２ａ、５２ｂ、…と、集合住宅をなす玄関（集合玄関）に設置された集合玄関機５３と、共通配線である居室接続幹線Ｌ51、２線（電源供給ラインＬ52a、データ伝送ラインＬ52b）からなる集合玄関接続幹線Ｌ52をそれぞれ介して複数の居室親機５１ａ、５１ｂ、…、集合玄関機５３が接続された制御機５４とで構成されており、各個別玄関機５２ａ、５２ｂ、…には来訪者等が操作（呼出操作）する呼出ボタン７０と図示しない通話機能が、集合玄関機５３には図示しない呼出（呼出操作）機能、通話機能がそれぞれ備えられているものとする。
【０００５】
複数の居室親機５１ａ、５１ｂ、…はそれぞれ同様な構成であり、商用電源（商用交流電源）ＡＣ’に接続され商用電源ＡＣ’を当該居室親機の動作電源とされる直流電圧に整流する電源回路６０と、電源回路６０からの直流電圧が給電され個別玄関機５２ａ、５２ｂ、…をなす呼出ボタン７０の操作（呼出操作）を検出する呼出検出回路６１と、電源回路６０から給電される直流電圧により能動とされ居室接続幹線Ｌ51を介して制御機５４の通信回路８０間で呼出信号、音声信号等の各種データ信号を送受信する通信回路６２と、電源回路６０から給電される直流電圧により制御され住戸内のセキュリティ異常を監視／検出するセキュリティ回路６３と、個別玄関の来訪者等による個別玄関機５２ａ、５２ｂ、…からの呼び出し、または集合玄関の来訪者等による集合玄関機５３からの呼び出しを報知するための呼出音、セキュリティ回路６３にて検出されるセキュリティ異常を報知するための警報音をそれぞれ放音するスピーカ６４と、呼び出された住戸内の居住者が呼出応答し通話を成立させるために使用する送受器６５と、送受器６５の取り上げの有無によりフックオフ／オンされるフックスイッチ６６と、電源回路６０から給電される直流電圧により当該居室親機を構成する各部を適宜に制御（待受、呼出検出および報知、セキュリティ異常検出および警報報知、呼出応答検出、通話等）する制御回路（以下、居室ＣＰＵと称す）６７とが備えられている。
【０００６】
制御機５４には、居室接続幹線Ｌ51、集合玄関接続幹線Ｌ52をなすデータ伝送ラインＬ52bをそれぞれ介して、複数の居室親機５１ａ、５１ｂ、…をなす通信回路６２間、集合玄関機５３間で各種データ信号を送受信する通信回路８０、８１と、商用電源（商用交流電源）ＡＣ’に接続され商用電源ＡＣ’を待受状態の当該制御機および集合玄関機５３の動作電源とされる直流電圧に整流する電源回路８２と、電源回路８２から給電される直流電圧により当該制御機を構成する各部を適宜に制御（待受、呼出検出、通話路形成等）する制御回路（以下、制御機ＣＰＵと称す）８３とが備えられている。
【０００７】
このように構成された集合住宅インターホンシステムにおいて、複数の居室親機５１ａ、５１ｂ、…をなす呼出検出回路６１、通信回路６２、セキュリティ回路６３、居室ＣＰＵ６７には、商用電源ＡＣ’から電源回路６０を介して整流された直流電圧が常時給電されており、この直流電圧は当該居室親機の待受状態、呼出検出および報知状態、セキュリティ異常検出および警報報知状態、呼出応答検出状態、通話状態等の各状態における動作電源とされる。また、制御機５４の制御機ＣＰＵ８３には、商用電源ＡＣ’から電源回路８２を介して整流された直流電圧が常時給電されており、この直流電圧は当該制御機の待受状態、呼出検出状態、通話制御（通話路形成）状態等の各状態における動作電源とされ、かつ集合玄関接続幹線Ｌ52をなす電源供給ラインＬ52aを介して集合玄関機５２に常時給電されており、当該集合玄関機の待受状態、呼出（呼出操作）状態、通話状態等の各状態における動作電源とされる。
【発明が解決しようとする課題】
【０００８】
しかしながら、従来の集合住宅インターホンシステムをなす複数の住戸内にそれぞれ設置される居室親機５１ａ、５１ｂ、…には、商用電源ＡＣ’が常時給電されていることから、例えば待受状態のように動作が不要とされる居室ＣＰＵ６７等にも電源回路６０を介して整流された直流電圧が給電されており、無駄な電力を消費するなどの難点があった。例えば、このような集合住宅インターホンシステムにおいて、一住戸内に居室親機が１台と増設親機等として他の親機が２台設置されており、１回あたり約３０秒を要する呼び出し、通話が１日平均２０回位発生すると、６〜９Ｗの無駄な電力が１日２４時間のうち９９．３％の大きな割合で常時消費されることになる。
【０００９】
本発明は上述の難点を解消するためになされたもので、待受時の消費電力が抑えられた集合住宅インターホンシステムを提供することを目的とする。
【課題を解決するための手段】
【００１０】
このような目的を達成するため、本発明の集合住宅インターホンシステムは、集合玄関機を制御機を介して複数の居室親機に共通接続し、居室親機に個別玄関機を個別接続し集合玄関機および個別玄関機からの呼び出しに応じて集合玄関機又は個別玄関機と居室親機との間で通話が可能な集合住宅インターホンシステムにおいて、
居室親機には、制御機から常時電圧の印加を受ける電源開閉回路と、待受状態の動作電源として電源開閉回路からの直流電圧が印加され個別玄関機の呼出を検出する呼出検出回路と、電源開閉回路からの直流電圧が給電され、当該居室親機を構成する電源開閉回路及び呼出検出回路を制御する制御回路とを備え、
制御機には、商用電源を直流電圧に整流する電源回路と、電源回路から直流電圧を充電する充電回路と、充電回路に接続され時計としての機能を有するクロックと電源開閉回路及び呼出検出回ロックによって指定された時間帯に充電回路から充電され待受時に制御機および集合玄関機に電力を供給する蓄電池と、集合玄関機からの呼び出しにより居室親機を起動させるための起動信号を送出する起動信号送出回路と、制御機と集合玄関機が待受時には複数の居室親機の電源開閉回路を介して呼出検出回路に電圧を印加し、集合玄関機から呼び出しがあった時のみ電源開閉回路を制御して電源回路の直流電圧を居室親機の電源開閉回路を介して呼出検出回路及び制御回路に供給する電源供給回路とを備え、
電源開閉回路は、電源供給回路から、待受状態の動作電源として呼出検出回路に電源供給し、かつ起動信号により、呼び出された居室親機の制御回路に電源供給するものであり、
更に、居室親機には、セキュリティ回路と、セキュリティ発報時に商用電源から電力をセキュリティ回路に供給するセキュリティ用電源回路と、セキュリティ監視状態において制御機の蓄電池より電力をセキュリティ回路に供給する監視用電源回路とを備えるものである。
【００１１】
このような集合住宅インターホンシステムによれば、複数の居室親機のセキュリティ監視機能、待受状態の集合玄関機および制御機の動作電源には、制御機のクロックの計時機能により指定される夜間時の低価格時間帯電力が電源回路を介して整流され充電回路の充電作用により蓄電池から給電される直流電圧が使用される。また、個別接続される個別玄関機からの呼出検出機能を制御する各居室親機の動作電源には、商用電源が電源回路を介して整流され電源供給回路より印加される電源開閉回路を介した直流電圧が、集合玄関機からの呼出時の各居室親機の動作電源には、制御機の起動信号送出回路より送出される起動信号を受信した電源開閉回路に印加されている直流電圧が使用され、セキュリティ発報機能を制御する動作電源には商用電源が使用される。これにより、当該システムをなす各端末の待受時における消費電力を抑えることができる。
【発明の実施の形態】
【００１２】
以下、本発明の集合住宅インターホンシステムを適用した好ましい形態の一実施例について、図面を参照して説明する。
【００１３】
図１は本発明の集合住宅インターホンシステムの一実施例の構成を示すブロック図であり、集合住宅をなす複数の住戸内にそれぞれ設置され個別の居室ＩＤが割り当てられている（複数の）居室親機１ａ、１ｂ、…と、各住戸の玄関（個別玄関）に設置され居室親機１ａ、１ｂ、…に個別接続されている（複数の）個別玄関機２ａ、２ｂ、…と、集合住宅をなす玄関（集合玄関）に設置された集合玄関機３と、複数の居室親機１ａ、１ｂ、…を共通配線する４線（待受・起動用電源供給ラインＬ1a、監視用電源供給ラインＬ1b、起動信号伝送ラインＬ1c、データ伝送ラインＬ1d）からなる居室接続幹線Ｌ1、集合玄関機３を配線する２線（電源供給ラインＬ2a、データ伝送ラインＬ2b）からなる集合玄関接続幹線Ｌ2がそれぞれ接続され、各端末に電源を給電するとともに集合玄関機３と呼び出された当該居室親機間で成立される呼び出し（呼出検出）、通話等を制御する制御機４とで構成されており、各個別玄関機２ａ、２ｂ、…には来訪者等が操作（呼出操作）する呼出ボタン２０と図示しない通話機能が、集合玄関機３には図示しない呼出（呼出操作）機能、通話機能がそれぞれ備えられているものとする。
【００１４】
複数の居室親機１ａ、１ｂ、…はそれぞれ同様な構成であり、居室接続幹線Ｌ1をなす待受・起動用電源供給ラインＬ1aを介して制御機４の電源供給回路３７から給電される直流電圧が印加されるとともに、居室接続幹線Ｌ1をなす起動信号伝送ラインＬ1cを介して制御機４の起動信号送出回路３２から送出される起動信号を受信する電源開閉回路１０と、待受状態の動作電源として電源開閉回路１０からの直流電圧が印加され個別玄関機２ａ、２ｂ、…の呼出ボタン２０の操作（呼出操作）を検出する呼出検出回路１１と、起動信号が受信された電源開閉回路１０から給電される直流電圧により能動とされ居室接続幹線Ｌ1をなすデータ伝送ラインＬ1dを介して制御機４の通信回路３０間で呼出信号、音声信号等の各種データ信号を送受信する通信回路１２と、居室接続幹線Ｌ1をなす監視用電源供給ラインＬ1bを介して制御機４の蓄電池３６から放電される直流電圧が印加される監視用電源回路１３と、監視用電源回路１３から給電される直流電圧により制御され住戸内のセキュリティ異常を監視するセキュリティ回路１４と、商用電源ＡＣが接続されセキュリティ異常が検出されたセキュリティ発報状態のセキュリティ回路１４に動作電源として整流させた直流電圧を給電するセキュリティ用電源回路１５と、個別玄関の来訪者等による個別玄関機２ａ、２ｂ、…からの呼び出し、または集合玄関の来訪者等による集合玄関機３からの呼び出しをそれぞれ報知するための呼出音、セキュリティ回路１４にて検出されるセキュリティ異常を報知するための警報音をそれぞれ放音するスピーカ１６と、呼び出された住戸内の居住者が呼出応答し通話を成立させるために使用する送受器１７と、送受器１７の取り上げの有無によりフックオフ／オンされるフックスイッチ１８と、起動信号の受信または呼出検出された呼出検出回路１１の制御により電源開閉回路１０からの直流電圧が給電され、当該居室親機を構成する各部を適宜に制御（呼出検出および報知、警報報知、呼出応答検出、通話等）する制御回路（以下、居室ＣＰＵと称す）１９とが備えられている。
【００１５】
制御機４には、居室接続幹線Ｌ1をなすデータ伝送ラインＬ1dを介して複数の居室親機１ａ、１ｂ、…をなす通信回路１２間で各種データ信号を送受信する通信回路３０と、集合玄関接続幹線Ｌ2をなすデータ伝送ラインＬ2bを介して集合玄関機３間で各種データ信号を送受信する通信回路３１と、集合玄関の来訪者等による集合玄関機３からの呼び出しを検出した制御回路（以下、制御機ＣＰＵと称す）３８の制御により複数の居室親機１ａ、１ｂ、…を起動させるための起動信号を居室親機接続幹線Ｌ1をなす起動信号伝送ラインＬ1cを介して複数の居室親機１ａ、１ｂ、…をなす電源開閉回路１０に伝送させる起動信号送出回路３２と、商用電源（商用交流電源）ＡＣに接続され商用電源ＡＣを直流電圧に整流する電源回路３３と、電源回路３３から給電される直流電圧を蓄電池３６に充電する充電回路３４と、充電回路３４の充電作用を制御するための計時機能を有するクロック３５と、クロック３５の計時機能により指定された所定の時間帯において充電される直流電圧を、（待受状態の）制御機ＣＰＵ３８、居室接続幹線Ｌ1をなす監視用電源供給ラインＬ1bを介して複数の居室親機１ａ、１ｂ、…をなす監視用電源回路１３、集合玄関接続幹線Ｌ2をなす電源供給ラインＬ2aを介して集合玄関機３にそれぞれ給電する蓄電池３６と、電源回路３３からの直流電圧を居室接続幹線Ｌ1をなす待受・起動用電源供給ラインＬ1aを介して複数の居室親機１ａ、１ｂ、…をなす電源開閉回路１０に印加する電源供給回路３７とが備えられており、制御機ＣＰＵ３８は前述の諸機能とともに電源回路３３から給電される直流電圧により当該居室親機を構成する各部を適宜に制御（呼出検出、通話路形成等）する機能を有する。
【００１６】
このように構成された集合住宅インターホンシステムにおいて、以下、その動作について説明する。
【００１７】
複数の居室親機１ａ、１ｂ、…をなすセキュリティ回路１４の監視状態を制御する動作電源として消費される電力（消費電力）、集合玄関機３および制御機４の待受状態時において消費される電力は、制御機４のクロック３５の計時機能により指示される夜間時、例えば２３時から７時の低価格電力時間帯の商用電源ＡＣが電源回路３３を介して整流され、充電回路３４の充電作用により蓄電池３６に充電される直流電圧を使用する。この直流電圧は、クロック３５の計時機能による上述の夜間時において蓄電池３６から居室接続幹線Ｌ1をなす監視用電源供給ラインＬ1bを介して複数の居室親機１ａ、１ｂ、…をなす監視用電源回路１３よりセキュリティ回路１４に給電され夜間監視状態時の動作電源とされるとともに、制御機ＣＰＵ３８、集合玄関接続幹線Ｌ2をなす電源供給ラインＬ2aを介して集合玄関機３にそれぞれ給電され夜間待受状態時の動作電源とされる。一方、制御機４のクロック３５の計時機能により指示される昼間時、例えば７時から２３時では、夜間時において充電回路３４の充電作用により蓄電池３６に充電された直流電圧が、居室接続幹線Ｌ1をなす監視用電源供給ラインＬ1bを介して複数の居室親機１ａ、１ｂ、…をなす監視用電源回路１３よりセキュリティ回路１４に給電され昼間監視状態時の動作電源とされるとともに、制御機ＣＰＵ３８、集合玄関接続幹線Ｌ2をなす電源供給ラインＬ2aを介して集合玄関機３にそれぞれ給電され昼間待受状態時の動作電源とされる。
【００１８】
また、上述の制御機４が待受状態（夜間待受状態、昼間待受状態）時において、商用電源ＡＣから電源回路３３を介して整流された直流電圧は、電源供給回路３７より居室接続幹線Ｌ1をなす待受・起動用電源供給ラインＬ1aを介して複数の居室親機１ａ、１ｂ、…をなす電源開閉回路１０および電源開閉回路１０を介して呼出検出回路１１にそれぞれ印加され、通信回路１２、居室ＣＰＵ１９には印加（給電）されないことから、当該居室親機の居室ＣＰＵ１９にて検出される待受状態における無駄な電力消費を抑えることができる。
【００１９】
ここで、複数の住戸のうち居室親機１ａが設置された住戸の個別玄関にて、来訪者等が住戸内の居住者を呼び出すために個別玄関機２ａの呼出ボタン２０を操作（呼出操作）すると、この操作を検出した居室親機１ａの呼出検出回路１１から電源開閉回路１０に制御（起動）信号Ｓ1が出力され、電源開閉回路１０に印加されている直流電圧が待受状態の居室ＣＰＵ１９に給電され動作電源とされるとともに、個別玄関機２ａからの呼び出しを検出した呼出信号Ｓ2が居室ＣＰＵ１９に出力される。電源開閉回路１０からの直流電圧が給電され呼出検出可能な動作状態に移行された居室ＣＰＵ１９は、入力された呼出信号Ｓ2より個別玄関の来訪者等による個別玄関機２ａからの呼び出しを検出した呼出検出状態に移行され、呼出報知するための呼出音をスピーカ１６から放音させる。これを確認した住戸内の居住者が送受器１７を取り上げて呼出応答すると、フックスイッチ１８がオフされ、呼出応答を検出した居室ＣＰＵ１９は通話状態に移行されることにより、送受器１７から個別玄関機２ａの図示しない通話機能間の通話路が形成され双方向通話が成立する。
【００２０】
次に、集合玄関の来訪者等が、複数の住戸のうち居室親機１ａが設置された住戸内の居住者を呼び出すために、待受状態の集合玄関機３にて居室ＩＤを入力するような呼出操作（図示せず）を行うと、この操作を検出し待受状態から呼出状態に移行された集合玄関機３より居室ＩＤ情報が含有された呼出信号Ｓ3が出力される。この呼出信号Ｓ3は、集合玄関接続幹線Ｌ2をなすデータ伝送ラインＬ2b、制御機４の通信回路３１を介して制御機ＣＰＵ３８に伝送され、制御機ＣＰＵ３８は入力された呼出信号Ｓ3をなす居室ＩＤ情報から集合玄関の来訪者等による居室親機１ａが設置された住戸内の居住者への呼び出しを検出し待受状態から呼出検出状態に移行され、電源回路３３を制御し商用電源ＡＣから電源回路３３を介して整流された直流電圧を当該制御機の動作電源とする。また、呼出検出状態の制御機ＣＰＵ３８は、起動信号送出回路３２を制御し複数の居室親機１ａ、１ｂ、…をそれぞれ起動させるための起動信号Ｓ4を居室接続幹線Ｌ1をなす起動信号伝送ラインＬ1cを介して複数の居室親機１ａ、１ｂ、…をなす電源開閉回路１０に伝送させるとともに、入力検出された呼出信号Ｓ3を通信回路３０、居室接続幹線Ｌ1をなすデータ伝送ラインＬ1dを介して複数の居室親機１ａ、１ｂ、…をなす通信回路１２に伝送させる。
【００２１】
複数の居室親機１ａ、１ｂ、…をなす電源開閉回路１０は、起動信号Ｓ4を受信することにより、印加されている直流電圧を通信回路１２、居室ＣＰＵ１９にそれぞれ給電して動作電源とする。これにより、居室ＣＰＵ１９は呼出検出可能な動作状態に移行され、居室接続幹線Ｌ1をなすデータ伝送ラインＬ1dを伝送された呼出信号Ｓ3を電源開閉回路１０からの直流電圧が給電され能動状態の通信回路１２を介して入力し、呼出信号Ｓ3をなす居室ＩＤ情報と当該居室親機に予め割り当てられている居室ＩＤとを照合し、一致した場合にのみ集合玄関の来訪者等による集合玄関機３からの呼び出しを報知するための呼出音をスピーカ１６から放音させる。ここでは、複数の居室親機１ａ、１ｂ、…をなす居室ＣＰＵ１９のうち、呼出先である居室親機１ａの居室ＣＰＵ１９にて当該居室ＩＤが一致されスピーカ１６から呼出音が放音される。これを確認した住戸内の居住者が送受器１７を取り上げて呼出応答すると、フックスイッチ１８がオフされ、呼出応答を検出した居室ＣＰＵ１９は通話状態に移行されることにより、送受器１７から通信回路１２、居室接続幹線Ｌ1をなすデータ伝送ラインＬ1d、制御機４の通信回路３０、制御機ＣＰＵ３８、通信回路３１、集合玄関接続幹線Ｌ2をなすデータ伝送ラインＬ2bを介して集合玄関機３の図示しない通話機能間の通話路が形成され双方向通話が成立する。尚、このとき、集合玄関機３からの呼出先以外の居室親機１ｂ、…については待受状態に復旧される。
【００２２】
次に、複数の住戸のうち居室親機１ａが設置された住戸内で火災、ガス漏れ等が発生すると、セキュリティ監視状態のセキュリティ回路１４はセキュリティ異常を検出しセキュリティ発報状態に移行される。セキュリティ発報状態のセキュリティ回路１４は商用電源ＡＣからセキュリティ用電源回路１５を介して整流された直流電圧が動作電源とされ、居室ＣＰＵ１９に警報移報信号Ｓ5を出力する。居室ＣＰＵ１９は入力された警報移報信号Ｓ5より住戸内がセキュリティ異常状態であることを検出し、スピーカ１６から警報音を放音させ警報報知する。
【発明の効果】
【００２３】
以上の説明から明らかなように、本発明の集合住宅インターホンシステムによれば、複数の居室親機のセキュリティ監視機能、待受状態の集合玄関機および制御機の動作電源には、制御機のクロックの計時機能により指定される夜間時の低価格時間帯電力が電源回路を介して整流され充電回路の充電作用により蓄電池から給電される直流電圧が使用される。また、個別接続される個別玄関機からの呼出検出機能を制御する各居室親機の動作電源には、商用電源が電源回路を介して整流され電源供給回路より印加される電源開閉回路を介した直流電圧が、集合玄関機からの呼出時の各居室親機の動作電源には、制御機の起動信号送出回路より送出される起動信号を受信した電源開閉回路に印加されている直流電圧が使用され、セキュリティ発報機能を制御する動作電源には商用電源が使用される。これにより、当該システムをなす各端末の待受時における消費電力を抑えることができる。
【図面の簡単な説明】
【図１】  本発明による集合住宅インターホンシステムの一実施例の構成を示すブロック図。
【図２】  従来の集合住宅インターホンシステムの構成を示すブロック図。
【符号の説明】
１ａ、１ｂ、… ‥‥‥複数の居室親機
２ａ、２ｂ、… ‥‥‥（複数の）個別玄関機
３‥‥‥集合玄関機
４‥‥‥制御機
１０‥‥‥電源開閉回路
１１‥‥‥呼出検出回路
１３‥‥‥監視用電源回路
１４‥‥‥セキュリティ回路
１５‥‥‥セキュリティ用電源回路
１９‥‥‥制御回路（居室ＣＰＵ）
３２‥‥‥起動信号送出回路
３３‥‥‥電源回路
３４‥‥‥充電回路
３５‥‥‥クロック
３６‥‥‥蓄電池
３７‥‥‥電源供給回路
ＡＣ‥‥‥商用電源（商用交流電源）
【図１】
0004405616.tif 000002
【図２】
0004405616.tif 000003